(57)【要約】【課題】  購入した商品に付された応募券を貼付した応募はがきにより景品を応募する際の個人情報の漏洩リスクを極力減らし、個人情報を管理する応募業者の負担をも軽減できる応募システムを提供することを課題とする。【解決手段】  インターネット網１００に接続される応募者端末および応募業者端末と、応募業者端末に接続され、識別コード付き応募はがきの識別コードを読取るスキャナ２を有し、応募業者端末は応募者端末のメールアドレスを受信する送受信部１３と、送受信部１３で受信した前記メールアドレスに対応する識別コードを作成する識別情報作成部１２と、メールアドレスおよび識別コードを記憶する管理情報記憶部１０と、識別コードを付した識別コード付き応募はがきデータを記憶する応募はがき記憶部１１と、スキャナ２から受信した識別コードと管理情報記憶部１０に記憶された識別コードを比較する識別情報比較部と、を有することを特徴とする。【選択図】  図３
2008003643.tif 000002
【特許請求の範囲】
【請求項１】
応募者が応募シールを貼付した識別コード付き応募はがきを応募業者に送付することにより景品の応募を行う応募システムであって、
インターネット網に接続される応募者端末および応募業者端末と、該応募業者端末に接続され、識別コード付き応募はがきの識別コードを読取るスキャナを有し、
前記応募業者端末は応募者端末のメールアドレスを受信する送受信部と、
該送受信部で受信した前記メールアドレスに対応する識別コードを作成する識別情報作成部と、
前記メールアドレスおよび識別コードを記憶する管理情報記憶部と、
前記識別コードを付した識別コード付き応募はがきデータを記憶する応募はがき記憶部と、
前記スキャナから受信した識別コードと前記管理情報記憶部に記憶された識別コードを比較する識別情報比較部と、を有し、
前記識別情報比較部で一致した応募を受付けることを特徴とする応募システム。
を有することを特徴とする応募システム。
【請求項２】
前記応募業者端末の送受信手段は、当選した応募者端末に対して景品の発送先である個人情報の入力を促すメールを送信することを特徴とする請求項１記載の応募システム。
【発明の詳細な説明】
【技術分野】
【０００１】
本発明は、購入した商品に付された応募券により景品を応募する応募システムに関する。
【背景技術】
【０００２】
コンビニエンスストアは、２４時間営業や店舗数拡大による利便性により急激に成長し、百貨店やスーパーマーケットを抜き、国内商売行のトップに位置するに至っている。省スペースな店舗であるにも関わらず少量多品種構成により商品の品揃えが良く、特に飲食物の品揃えは豊富である。特にペットボトルや缶等の飲料水は、その商品数が多く、各社飲料水メーカは、あらゆる方法により売上を競い合っている。その一つの方法として、商品であるペットボトルや缶に携帯電話のストラップなどの景品を付けたり、景品応募のための応募シールを貼付して、他の商品との差別化を図っている。
また、アイスクリーム等を入れる胴部と底部からなる紙カップにおいて、胴部を外周方向に延長した延長部分を応募券とし、この応募券を胴部に対して切り離せるようにミシン目を設けた応募券付き紙カップが知られている（例えば特許文献１参照）。
【０００３】
【特許文献１】特開平１０−１９４２９２号公報
【発明の開示】
【発明が解決しようとする課題】
【０００４】
特許文献１のような応募券を用いて行う応募は、まず応募に必要な所定枚数の応募券を集め、店舗にある指定の応募はがきに応募券を貼付し、その応募はがきに景品が当たった場合の発送先として応募者の郵便番号、住所、氏名などを記載して、応募はがきをポストに投函することにより行われる。一方、応募はがきを受け取った応募業者は、複数応募された応募はがきを集計して、その中から当選数分を選び、その結果当選した人に景品を発送している。
ところで、２００５年４月から個人情報保護法が施行され、企業は法律の遵守を基本として、個人情報の取扱いを行わなければならなくなっている。消費者としても企業に提供した個人情報が漏洩し、目的外で使用される恐れがあることが不安要素の一つとなっており、実際に企業の従業員による消費者の個人情報の漏洩が起きており、消費者から企業の信用を失う結果となっている。このため、企業として個人情報記載書類の適切な破棄方法や個人情報管理室への入退室管理、ＰＣへの接続パスワード保護、個人情報保護責任者や監督責任者の選定など様々な対策が行われている。しかしながら、個人情報は日々増え続ける一方であり、その個人情報の管理方法や個人情報管理に用いる設備投資など企業の負担は増すばかりとなっている。上述した応募券を用いての応募方法においても応募はがきに記載された応募者の郵便番号、住所、氏名が個人情報にあたり、応募の景品によっては数千〜数万もの応募がされることがあり、企業として膨大な数の個人情報を管理する必要性が生じる。また、応募者としても応募による個人情報の安全性に対して懸念を抱いている。
本発明は、購入した商品に付された応募券を貼付した応募はがきにより景品を応募する際の個人情報の漏洩リスクを極力減らし、個人情報を管理する応募業者の負担をも軽減できる応募システムを提供することを目的とする。
【課題を解決するための手段】
【０００５】
本発明に係る応募システムは、応募者が応募シールを貼付した識別コード付き応募はがきを応募業者に送付することにより景品の応募を行う応募システムであって、インターネット網に接続される応募者端末および応募業者端末と、該応募業者端末に接続され、識別コード付き応募はがきの識別コードを読取るスキャナを有し、前記応募業者端末は応募者端末のメールアドレスを受信する送受信部と、該送受信部で受信した前記メールアドレスに対応する識別コードを作成する識別情報作成部と、前記メールアドレスおよび識別コードを記憶する管理情報記憶部と、前記識別コードを付した識別コード付き応募はがきデータを記憶する応募はがき記憶部と、前記スキャナから受信した識別コードと前記管理情報記憶部に記憶された識別コードを比較する識別情報比較部と、を有し、前記識別情報比較部で一致した応募を受付けることを特徴とする。
また、前記応募業者端末の送受信手段は、当選した応募者端末に対して景品の発送先である個人情報の入力を促すメールを送信することを特徴とする。
【発明の効果】
【０００６】
本発明の応募システムにおいて、応募者は応募端末のメールアドレスのみを応募業者に知らせるだけで応募することができるので、応募者の個人情報である郵便番号、住所、氏名、電話番号などの情報漏洩のリスクを最小限とすることができる。また、応募に当選した当選者のみが景品送付先情報としての個人情報（郵便番号、住所、氏名、電話番号等）を応募業者に知らせるようにしたことで応募業者としては応募者よりも少数な当選者の個人情報のみを厳格に管理すれば良いので、企業側の個人情報管理が容易となる。
【発明を実施するための最良の形態】
【０００７】
以下、図面を参照しながら発明を実施するための最良の形態について説明する。
【０００８】
図１は、本発明の実施の形態に係る応募システムの構成を示す斜視図であり、図２は応募シールを貼付した飲料水のアルミ缶を示す斜視図であり、図３は応募業者端末および応募者端末の制御ブロック図である。
【０００９】
本発明の応募システムの構成は、図１に示すようにインターネット網１００に接続された応募業者端末１と、応募業者端末１に接続されたスキャナ２と、インターネット網１００に接続された応募者端末３０と、応募者端末３０に接続されたプリンタ３１とから構成されている。応募業者は、本実施の形態の一例として飲料水メーカであり、図２に示す飲料水４０のアルミ缶４１に応募シール４２を貼付しており、応募者がこの飲料水４０を購入して所定枚数の応募シール４２を集め、この応募シール４２数枚で景品に応募できるようにしている。
【００１０】
応募業者端末１の制御部３は、図３に示すように所定の制御プログラムを記憶するＲＯＭ４と、ＲＯＭ４に記憶されている制御プログラムに従って動作し、各部を制御するＣＰＵ６と、ＣＰＵ６が動作する上で必要となる各種データを一時的に記憶するＲＡＭ５と、スキャナ２と接続して通信を行う外部インタフェース７と、所定の情報を入力する入力部としてのキーボード２０や図示しないマウスから入力された情報を表示する表示部としてのモニタ２１を接続するインタフェース８と、応募業者のホームページを構成するｈｔｍｌまたはｘｍｌ形式のファイルやその他画像ファイル等を記憶するホームページ記憶部９と、応募者端末３０から送信された応募者端末３０のメールアドレスおよびこのメールアドレスに関連付けられた後述の識別情報としての応募管理番号を記憶する管理情報記憶部１０と、応募業者端末１から応募者端末３０にダウンロードする例えばｐｄｆ形式のファイルなどの応募はがきデータが記憶された応募はがき記憶部１１と、応募者端末３０に送信するためのメール文を記憶した送信メール記憶部１５と、管理情報記憶部１０に記憶されたメールアドレスに関連づけて識別情報としての応募管理番号を作成し、この応募管理番号をバーコード５０として作成する識別情報作成部１２と、ホームページ等を閲覧したり、データの送受信ができるようインターネット網１００と接続するＬＡＮインタフェースとしての送受信部１３を有している。尚、ホームページ情報記憶部９および管理情報記憶部１０および応募はがき記憶部１１、送信メール記憶部１５でハードディスクなどの１つの記憶部１４として構成されている。
【００１１】
スキャナ２は、後述する応募はがき５７に印刷されたバーコード５０を読取り、外部インタフェース７を介してバーコード５０として記憶された応募管理番号を応募業者端末１に送信する。
【００１２】
応募者端末３０の制御部３２は、図３に示すように所定の制御プログラムを記憶するＲＯＭ３３と、ＲＯＭ３３に記憶されている制御プログラムに従って動作し、各部を制御するＣＰＵ３４と、ＣＰＵ３４が動作する上で必要となる各種データを一時的に記憶するＲＡＭ３５と、プリンタ３１と接続し、通信を行う外部インタフェース３６と、所定の情報を入力する入力部としてのキーボード３７や図示しないマウスから入力された情報を表示する表示部としてのモニタ３８を接続するインタフェース３９と、ホームページ等を閲覧したり、データの送受信ができるようインターネット網１００と接続するＬＡＮインタフェースとしての送受信部２９を有している。
【００１３】
プリンタ３１は、応募者端末３０の外部インタフェース３６を介して受信したデータを印字するもので、応募者端末３０から送信される後述のバーコード付き応募はがきデータを印字する。
【００１４】
以上のように構成した応募システムにおいて、景品を応募する方法について図４ないし図９に基づき説明する。図４は応募から景品発送までを示すフローチャートであり、図５は応募はがきデータをダウンロードするためのＵＲＬを表示したメールの受信画面であり、図６はバーコード付き応募はがきデータを応募者端末のウェブブラウザに表示した一例であり、図７は印字した応募はがきの表と裏を示す平面図であり、図８は景品当選のお知らせおよび景品発送の個人情報入力を促す内容のメールの受信画面であり、図９は景品発送のための個人情報入力画面である。
【００１５】
まず、応募者は飲料水４０を購入し景品に応募するための所定数の応募シール４２を集め、応募業者のホームページから応募はがきを入手する。図４に示すように応募者は、応募者端末３０のウェブブラウザを操作し、インターネット網１００により応募業者のホームページに接続する（ステップＡ１）。応募者は、応募業者のホームページの図示しないメールアドレス入力欄に応募者端末３０メールアドレスを入力し（ステップＡ２）、このメールアドレスを応募者端末１に送信する（ステップＡ３）。
尚、ホームページ記憶部９は、応募業者端末１ではなくプロバイダのサーバに設けられても良い。
【００１６】
応募者端末１は、受信したメールアドレスを管理情報記憶部１０に記憶し、そのメールアドレスに関連付けて応募管理番号が生成される。すなわち識別情報作成部１２は、受信したメールアドレス毎にそれぞれ異なる応募管理番号を生成し（ステップＢ１）、メールアドレスに関連付けて応募管理番号が管理情報記憶部１０に記憶される。また、識別情報作成部１２は、管理情報記憶部１０に記憶された応募管理番号からバーコード５０を作成し、ＣＰＵ６が応募はがき記憶部１１に記憶された応募はがきデータを読み出してＲＡＭ６に展開し、応募はがきデータに応募管理番号であるバーコード５０を画像データとして貼り付け、バーコード付き応募はがきデータに加工し、このバーコード付き応募はがきデータを応募はがき記憶部１１に記憶する。
また、送信メール記憶部１５には応募者端末３０に送信するためのメール文（後述するステップＢ２、ステップＢ５のメール文）が予め記憶されており、応募業者側での処理を自動化できるように構成されている。送信メール記憶部１５からバーコード付き応募はがきをダウンロードできるホームページのＵＲＬ５１と、はがきダウンロードの説明文５２（図５参照）を記載したメールを送受信部１３を介して応募者端末３０に送信する（ステップＢ２）。尚、メールに添付ファイルとしてバーコード付き応募はがきデータを送信しても良い。また、これら工程は、すべて制御部３のＲＯＭ４に予め作成された制御プログラムに従ってＣＰＵ６が各部を制御し、自動で行われる。
【００１７】
応募者は、メールソフト５３を起動し、図５に示すメールの受信画面を表示し、応募業者端末１から送信されたメールを受信し、受信メール文中に記載されたＵＲＬ５１をマウスのポインタでクリックしてバーコード付き応募はがきデータをダウンロードできるホームページに接続する。すなわち、応募者は図６に示すように応募者端末３０のウェブブラウザ５４を操作し、インターネット網１００により受信メールに記載されたＵＲＬ５１で示されるバーコード付き応募はがきデータのダウンロードホームページに接続する。このバーコード付き応募はがきデータは、例えばｐｄｆ形式のファイルで構成され、応募はがき作成の説明文５５と、バーコード付き応募はがきレイアウト５６が記載されており、応募者が応募者端末３０を操作して応募業者端末１の応募はがき記憶部１１からバーコード付き応募はがきデータを応募者端末３０にダウンロードする（ステップＡ４）。応募者は、ダウンロードしたバーコード付き応募はがきデータを外部インタフェース３６を介してプリンタ３１に送信し、プリンタ３１により紙の応募はがき５７が印刷される。応募はがき作成の説明文５５に従って紙の応募はがき５７に印刷された応募はがきレイアウト５６の外側の枠線に沿って鋏で切り取り、表面５８および裏面５９が外側に表出するように折り曲げ線で山折りに折り曲げ、表面５８と裏面５９の内側に糊を塗って貼りあわせることにより図７に示す応募はがき５７を作成する（ステップＡ５）。
【００１８】
応募はがき５７は、上述したように図６に示すバーコード付き応募はがきレイアウト５６を印字したものである。バーコード付き応募はがきレイアウト５６は、応募業者の郵便番号、住所、応募業者名を記載した宛先情報６１と、バーコード５０および応募シール貼付欄６０からなる応募情報を有している。尚、バーコード５０は、上述したステップＢ１にて識別情報作成部１２により作成されたものである。また、本実施の形態において、応募券５枚（５点）で一口の応募を可能としたため応募シール貼付欄６０の一例として５つの貼付欄を設けているが、これに限定するものではなくその応募方法に従い任意の数に変更する。
図７は、作成された紙の応募はがき５７を示し、図７（ａ）に示す表面５８側には応募業者の郵便番号、住所、応募業者名である宛先情報６１が印字され、図７（ｂ）に示す裏面５９側には応募シール貼付欄６０と、バーコード５０からなる応募情報が印字され、図７（ｂ）においては応募シール貼付欄６０に応募数２口分の１０枚の応募シール４２を貼付している。このようにして作成された応募はがき５７を応募者が郵便ポストに投函し、応募業者に送付する（ステップＡ６）。
【００１９】
応募はがき５７を受け取った応募業者は、その応募はがき５７に印字されたバーコード５０をスキャナ２で読取り（ステップＢ３）、バーコード５０の内容である応募管理番号を外部インタフェース７を介して応募業者端末１に送信する。受信した応募業者端末１のＣＰＵ６（識別情報比較部）は、その応募管理番号を一旦ＲＡＭ５に記憶させ、ステップＢ１で生成され、管理情報記憶部１０に記憶された応募者のメールアドレスに関連付けられた応募管理番号と比較する。比較の結果、応募管理番号が一致する場合には、その応募管理番号およびこの応募管理番号に関連付けられたメールアドレスをモニタ２１に表示させ、応募口数が「２」であることをキーボード２０から入力し、これらの情報を管理情報記憶部１０に記憶する。
【００２０】
応募業者端末１により応募口数を考慮して応募管理番号を無作為に選んで抽選を行い、当選者を決定する（ステップＢ４）。当選結果を知らせる当選結果メールを送信メール記憶部１５から読み出し、当選した当選者の応募管理番号のメールアドレス宛てに抽選結果メールを送信する（ステップＢ５）。当選結果メールには、当選したことを伝える当選文６３と、当選した景品を発送するための応募者の住所などを入力するホームページのＵＲＬ６４を記載している。尚、当選しなかった応募者に対しその結果をメールで送信しても良い。
【００２１】
当選者は、メールソフト５３を起動して図８に示す当選結果メールを受信し、この受信メールに記載されたＵＲＬ６４で示される景品発送先入力ホームページに接続する（ステップＡ７）。すなわち、ＵＲＬ６４をマウスのポインタでクリックすると応募者端末３０のウェブブラウザ５４が起動し、図９に示す景品発送先入力ホームページに接続する。景品発送先入力ホームページには、景品送付先情報としての個人情報（郵便番号、都道府県、市区町村、氏名、電話番号など）を入力する景品送付先入力欄６６と、これらの情報を送信するための送信ボタン６７が設けられている。景品送付先入力欄６６にそれぞれの情報をキーボード３７から入力し、送信ボタン６７を押下して個人情報を送受信部２９を介して応募業者端末１に送信する（ステップＡ８）。
応募業者は、送信された個人情報に基づき、当選した景品を当選者に送付する（ステップＢ６）。
【００２２】
以上、本発明における応募システムにおいて、景品が当選した当選者のみが景品送付先情報としての個人情報（郵便番号、都道府県、市区町村、氏名、電話番号など）を応募業者側へ送信するので、例えば数千〜数万の応募者の中から当選する少数の当選者のみの個人情報を管理すれば良いので、応募業者側での管理が比較的容易となる。
また、応募業者から万が一個人情報が漏洩したとしても応募者においてはメールアドレスのみの最小限にでき、郵便番号・住所・氏名などの個人情報が漏洩するリスクを回避することができる。
更に、応募はがき５７には、応募者の個人情報が一切記載されていないので、応募はがき５７を目視しても個人情報が漏洩する恐れがなく、たとえバーコード５０を読取っても応募管理番号であるため個人情報が漏洩する恐れがない。
【００２３】
なお、本発明が上記各実施の形態に限定されず、本発明の技術思想の範囲内において、各実施の形態は適宜変更され得ることは明らかである。また、上述した各種構成部材の数、位置、形状等は上記実施の形態に限定されず、本発明を実施する上で好適な数、位置、形状等にすることができる。
例えば、本実施の形態において、プリンタ３１にてバーコード付き応募はがきデータを印字するようにしたが、応募業者の郵便番号、住所、応募業者名を記載した宛先情報とバーコード５０をラベルに印字し、通常の郵便はがきに貼付するようにしても良い。
また、本実施形態において応募はがき５７にバーコード５０を印字し、その読取り手段としてスキャナ２としたが、バーコード５７に変えて二次元コードを印字し、スキャナ２に変えて二次元コードスキャナとしても良い。
また、当選結果メールに景品発送先入力ホームページのＵＲＬ６４を記載したが、当選結果メール自体に景品送付先入力欄６６を設け、当選者が個人情報を入力し応募者端末から応募業者端端末に向けてメールを返信するようにしても良い。
【図面の簡単な説明】
【００２４】
【図１】実施の形態に係る応募システムの構成を示す斜視図。
【図２】応募シールを貼付した飲料水のアルミ缶を示す斜視図。
【図３】応募業者端末および応募者端末の制御ブロック図。
【図４】応募から当選した景品を発送するまでを示すフローチャート。
【図５】応募はがきデータをダウンロードするためのＵＲＬを表示したメールの受信画面を示す図。
【図６】バーコード付き応募はがきデータを応募者端末のウェブブラウザに表示した一例を示す図。
【図７】応募はがきの平面図。
【図８】景品当選のお知らせおよび景品発送の個人情報入力を促すメールの受信画面を示す図。
【図９】景品発送のための個人情報入力画面を示す図。
【符号の説明】
【００２５】
１    応募業者端末
２    スキャナ
３    制御部
４    ＲＯＭ
５    ＲＡＭ
６    ＣＰＵ
７    外部インタフェース
８    インタフェース
９    ホームページ記憶部
１０    管理情報記憶部
１１    応募はがき記憶部
１２    識別情報作成部
１３    送受信部
１４    記憶部
１５    送信メール記憶部
２０    キーボード
２１    モニタ
２９    送受信部
３０    応募者端末
３１    プリンタ
３２    制御部
３３    ＲＯＭ
３４    ＣＰＵ
３５    ＲＡＭ
３６    外部インタフェース
３７    キーボード
３８    モニタ
３９    インタフェース
４０    飲料水
４１    アルミ缶
４２    応募シール
５０    バーコード
５１    ＵＲＬ
５２    説明文
５３    メールソフト
５４    ウェブブラウザ
５５    説明文
５６    バーコード付き応募はがきレイアウト
５７    応募はがき
５８    表面
５９    裏面
６０    応募シール貼付欄
６１    宛先情報
６３    当選文
６４    ＵＲＬ
６６    景品送付先入力欄
６７    送信ボタン
１００  インターネット網
【図１】
2008003643.tif 000003
【図２】
2008003643.tif 000004
【図３】
2008003643.tif 000005
【図４】
2008003643.tif 000006
【図５】
2008003643.tif 000007
【図６】
2008003643.tif 000008
【図７】
2008003643.tif 000009
【図８】
2008003643.tif 000010
【図９】
2008003643.tif 000011